(57)【要約】      （修正有）【課題】クロッチ部が股下面にぴったり密着するフィット性とヒップアップ機能を兼ね備えることである。【解決手段】人体の腰部を被う胴部１と、股下に対応する防水布を備えたクロッチ部２とからなるサニタリショーツにおいて、ショーツ本体の身頃地と防水布との間に、前記胴部１の上端に至るパワーネット４を介在せしめ、このパワーネット４は、縦方向の長さを身頃地より短く形成し、後身頃１４に多数のひだのあるシャーリングを施すと共に、クロッチ部２の身頃地から浮かせるようにショーツ本体に縫い付ける。さらに、パワーネット４のクロッチ対向部の後部を、背中央部１１と左右対の脇部１２、１２とが連なるほぼＷ形に形成し、両ヒップを包囲して持ち上げることができるようにする。【選択図】図２
0003103180.tif 000002
【実用新案登録請求の範囲】
【請求項１】
人体の腰部を被う胴部と、股下に対応する防水布を備えたクロッチ部とからなるサニタリショーツにおいて、ショーツ本体の身頃地と防水布との間に、前記胴部のほぼ上端に至るパワーネットを介在せしめ、このパワーネットを、縦方向に身頃地より所要量短く形成し、後身頃には多数のひだのあるシャーリングを施し、クロッチ部の身頃地から浮かせるようにショーツ本体に縫着したことを特徴とするサニタリショーツ。
【請求項２】
前記パワーネットのクロッチ対向部の後部を、背中央部と左右対の脇部とが連なるほぼＷ形に形成し両ヒップを包囲できるようにしたことを特徴とする請求項１に記載のサニタリショーツ。
【考案の詳細な説明】
【技術分野】
【０００１】
この考案は、優れたフィット性とヒップアップ機能とを兼ね備えたサニタリショーツに関する。
【背景技術】
【０００２】
従来、サニタリショーツとして、図６及び図７に示すように、人体の腰部を被う胴部５１と、股下に対応する防水布５２を内面に備えたクロッチ部５３とからなり、前記防水布５２を左右の彎曲縁５４、５４、短い前縁５５及び長い後縁５６から形成し、ショーツ本体の身頃地に前縁縫合線５７及び後縁縫合線５８で縫い付けたものが普及している。
【考案の開示】
【考案が解決しようとする課題】
【０００３】
しかしながら、上記のようなサニタリショーツでは、防水加工を施した防水布５２は伸縮性が乏しいことなどのため、着用時に、曲面形状の股下面に、クロッチ部５３がぴったりとフィットしにくく、生理用ナプキンがずれ動くなどの問題があった。またヒップアップ機能もほとんどなかった。
【０００４】
そこで、この考案の課題は、クロッチ部が股下面にぴったり密着するフィット性と共に、ヒップアップ機能を兼ね備えたサニタリショーツを提供することである。
【課題を解決するための手段】
【０００５】
上記の課題を解決するために、この考案は、人体の腰部を被う胴部と、股下に対応する防水布を備えたクロッチ部とからなるサニタリショーツにおいて、ショーツ本体の身頃地と防水布との間に、前記胴部のほぼ上端に至るパワーネットを介在せしめ、このパワーネットを、縦方向に身頃地より所要量短く形成し、後身頃に多数のひだのあるシャーリングを施すと共に、クロッチ部の身頃地より浮かせるようにショーツ本体に縫着したのである。
【０００６】
前記パワーネットのクロッチ対向部の後部を、背中央部と左右対の脇部とが連なるほぼＷ形に形成し、両ヒップを包囲して持ち上げることができるようにするのが好ましい。
【考案の効果】
【０００７】
この考案に係るサニタリショーツによれば、上述のように、ショーツ本体の身頃地と防水布との間にパワーネットを介在させ、パワーネットの縦方向の長さを身頃地より短く形成して縫着したので、着用時には、身頃地と共にこのパワーネットも伸長するため、これによって発生する強い復元弾性が上方への引張力として作用し、防水布を股下面に密着させることができる。また、両ヒップを包囲するほぼＷ形のパワーネットによってヒップを下から持ち上げるヒップアップ機能が発生する。
【考案を実施するための最良の形態】
【０００８】
以下、この考案の実施形態を図１乃至図５に基づいて説明する。この考案のサニタリショーツは、図１、図２及び図３に示すように、ポリウレタン弾性芯糸を、綿、ポリエステル、ナイロンなどで被覆したカバリング糸を用い、編目が緻密で伸縮性を抑えたトリコットなどの経編布地から縫製されたものであり、人体の腰部を被う筒形状胴部１と、股下体に対応するクロッチ部２とからなり、クロッチ部２の内面には、ナプキン係止用防水布３及びこの防水布３と身頃地との間に介在する後方に長いほぼＷ形パワーネット４が設けられている。
【０００９】
このサニタリショーツは、胴部１の上端周縁に幅の広い弾性レース帯のウエストバンド５が縫い付けられ、左右のはき口に幅の狭い弾性レース帯の縁取り６、６が施されている。
【００１０】
防水布３及びパワーネット４は、図４及び図５に示すように、クロッチ部２において、ウイング付きなどの生理用ナプキンを安定係止するため、身頃地より多少細幅に形成され、両布での二層構造になっており、左右の双曲線状彎曲縁には二つ折状バイアステープ７を用いた縁取りと、後縁縫合線８とによって両布が縫合され、前縁縫合線９で両布がショーツ本体に縫い付けられている。
【００１１】
防水布３は、ナイロンフィラメントなどからなる編目が緻密で伸縮性を抑えたトリコットなどの経編生地に、防水加工を施した伸縮性が乏しいものである。
【００１２】
パワーネット４は、ナイロンフィラメントなどとポリウレタン弾性糸とからなる太めの経糸と斜交状緯糸とが交錯した編目が粗いレース編地状のものであり、ショーツ本体の身頃地より大きい伸縮弾性を有し、かつ、通気性が良いので夏期や激しい運動時においても蒸れを感じるようなことはない。
【００１３】
このパワーネット４は、図４に示すように、クロッチ対向部１０と、このクロッチ対向部１０の後方に延長しウエストバンド５に至る細長い背中央部１１と、クロッチ対向部１０の後部で左右に分岐しウエストバンド５に至る一対の脇部１２、１２とからなるほぼＷ形状で両ヒップを包囲できるようになっている。即ち背中央部１１と左右の脇部１２、１２との間には、椀形状のヒップ周縁に対応するため、ほぼＵ字形に大きく切込んだヒップ包囲縁１３、１３が形成されている。
【００１４】
さらに、背中央部１１は、縦方向の長さ、即ち前縁縫合線９からウエストバンド５に至る長さＬ（図４参照）が、これに対応する身頃地の長さより、所要量例えば約１０ｍｍ〜約３０ｍｍ程度短く形成されている。
【００１５】
パワーネット４をショーツ本体の身頃地に縫い付ける際には、背中央部１１は、後身頃１４の布地を小刻みに縮めた、所謂シャーリングを施してその左右両端縁の縫合線１５、１５で、また、左右一対の脇部１２、１２は、単に身頃地に重ね合せた状態で脇縫合線１６、１６、はき口縁取り６、６及びヒップ包囲縁縫合線１７、１７を介して縫い付けられ、上記３布部の先端は何れもウエストバンド５に固着されている。
【００１６】
パワーネット４は、縦方向の全長が縫合する身頃地の寸法より短いため、クロッチ部において、身頃地との間にパワーネットが浮いて隙間１８（図３参照）ができるようになる。
【００１７】
ショーツ本体の後身頃１４には、パワーネット４の背中央部１１の縫合部に、シャーリングによるよこ方向の多数のひだ１９、１９・・・（図２参照）が出現するようになり、着用時、ウエストバンド５を引上げると、これに伴ってひだ１９が伸びると同時にパワーネットも伸び、この伸びに抵抗する復元弾性が大きな引上げ力として作用し、クロッチ部が股下面にぴったりフィットし、同時に、ヒップ包囲縁１３を介してヒップを下から持ち上げるシェープアップ作用が発生するようになる。
【００１８】
なお、シャーリングは、背中央部１１を、例えば１０ｍｍ程度延長状態のままで無伸長状態の後身頃地と重ね合せて縫合しただけで、縫合後パワーネットが収縮して等ピッチの美しい多数のひだ１９ができるようになり、縫製作業は容易で多量生産に支障はなく、コストアップになることはない。また、パワーネット４は、所要の収縮性パワーを発揮せしめるため、背中央部１１及び左右対の脇部１２、１２の幅寸法を２０〜６０ｍｍ程度必要とするが、用途に対応して、これらの幅寸法及び編糸の太さを変更するなどしてネット地のパワー即ち伸縮弾性力の大きさを適宜選択することができる。さらに後身頃地に設けるシャーリングは、背中央部１１のほかに、対の脇部１２、１２に設けることもできる。
【００１９】
前記サニタリショーツは、繊維素材として、ポリウレタン弾性芯糸と綿、ポリウレタン、ナイロンなどのカバーリング材とのほか、ポリウレタン・綿混合糸、ポリウレタン・綿・アクリル混合糸、ポリウレタン・綿１００％糸、ポリウレタン・ポリエステル１００％糸など用途に対応して適宜選択することができ、身頃地にトリコットなどの経編地のほか天竺（てんじく）などの緯編地を用いることもできる。
【００２０】
さらに、このサニタリショーツは、上述のような、ショーツタイプのほか、トランクスタイプなどいろいろなタイプのものにも適用でき、レギュラー用、ナイト用、スポーツ用などいろいろな用途のものにも適用できる。
【００２１】
この考案のサニタリショーツは、これを着用すると、後身頃１４の多数のひだ１９が延びると同時にパワーネット４が延び、これによって発生する強パワーの収縮弾性によってクロッチ部２が股下面に無理なくぴったりフィットしてナプキンのずれを防止し、ヒップを下から持ち上げるヒップアップ作用が発生し、スポーツ時など激しく動くときでも、クロッチ部が位置ずれするようなことがなく安定している。
【図面の簡単な説明】
【００２２】
【図１】この考案の実施形態に係るサニタリショーツを示す正面図
【図２】同上の背面図
【図３】同上の縦断側面図
【図４】同上の内装用パワーネットとクロッチ部の防水布を示す展開平面図
【図５】図４のイ−イ線に沿った拡大断面図
【図６】従来のサニタリショーツを示す正面図
【図７】同上のクロッチ部の防水布を示す展開平面図
【符号の説明】
【００２３】
１  胴部
２  クロッチ部
３  防水布
４  パワーネット
５  ウエストバンド
１０  クロッチ対向部
１１  背中央部
１２  脇部
１４  後身頃
１９  ひだ
５１  胴部
５２  防水布
５３  クロッチ部
５４  彎曲縁
５５  前縁
５６  後縁
５７  前縁縫合線
５８  後縁縫合線
【図１】
0003103180.tif 000003
【図２】
0003103180.tif 000004
【図３】
0003103180.tif 000005
【図４】
0003103180.tif 000006
【図５】
0003103180.tif 000007
【図６】
0003103180.tif 000008
【図７】
0003103180.tif 000009